(57)【要約】      （修正有）【課題】ＤＣプラグなどのコネクタを外れにくくする電子機器の提供。【解決手段】所定方向に延伸する延伸部２２と、延伸部２２と交差する交差部２４と、延伸部２２と交差部２４とを接合する接合部２６とを有するＤＣプラグ２を受ける電子機器１であって、ＤＣプラグ２が延伸部２２を中心軸として回転できるように、延伸部２２が挿入されるＤＣソケット１８と、ＤＣプラグ２がＤＣソケット１８から離れる方向に移動することを防止し、さらに延伸部２２がＤＣソケット１８に挿入された状態で、ＤＣプラグ２が延伸部２２を中心軸として反時計周りに９０度回転したときに、交差部２２を受ける受容部１４０とを備えた電子機器１。【選択図】図１
0003117782.tif 000002
【実用新案登録請求の範囲】
【請求項１】
所定方向に延伸する延伸部と、該延伸部と交差する方向に延伸する交差部と、前記延伸部と前記交差部とを接合する接合部とを有するプラグを受ける電子機器であって、
前記プラグが前記延伸部を中心軸として回転できるように、前記延伸部が挿入されるソケットと、
前記プラグが前記ソケットから離れる方向に移動することを防止し、さらに前記延伸部が前記ソケットに挿入された状態で、前記プラグが前記延伸部を中心軸として所定角度回転したときに、前記交差部を受ける受容部と、
を備えた電子機器。
【請求項２】
請求項１に記載の電子機器であって、
前記ソケットが開口する開口面に直交する第一直交面を備え、
前記受容部は、前記開口面および前記第一直交面に直交している、
電子機器。
【請求項３】
請求項２に記載の電子機器であって、
前記開口面と平行な平行面と、
該平行面に設けられ、前記第一直交面に向かって開放され、前記延伸部が前記ソケットに向かって通過できる凹部と、
を備えた電子機器。
【請求項４】
請求項２に記載の電子機器であって、
前記開口面および前記第一直交面に直交する第二直交面を備え、
前記受容部は前期第二直交面に設けられ、前記第一直交面に向かって開放されている、
電子機器。
【請求項５】
請求項２に記載の電子機器であって、
前記第一直交面は底面または上面である、
電子機器。
【請求項６】
請求項１に記載の電子機器であって、
前記受容部は、前記延伸部が前記ソケットに挿入され、かつ、前記プラグが前記延伸部を中心軸として前記所定角度回転する前の状態で、前記中心軸から前記接合部よりも離れた位置に配置される、
電子機器。
【請求項７】
請求項１ないし６のいずれか一項に記載の電子機器と、
前記電子機器により受けられた前記プラグと、
を備えたプラグ付き電子機器。
【考案の詳細な説明】
【技術分野】
【０００１】
本考案はＤＣプラグの脱落防止に関する。
【背景技術】
【０００２】
従来より、小型電子機器への給電は、ＡＣアダプタを使用し、ＤＣプラグを、筐体のＤＣソケットに差し込んで接続することが広く行なわれている。
【考案の開示】
【考案が解決しようとする課題】
【０００３】
しかしながら、ＤＣプラグはＤＣソケットから抜けやすいため、不用意に抜けてしまうことがある。ＤＣプラグが不用意に抜けると、電子機器の動作に悪影響を及ぼすので、ＤＣプラグが不用意に抜けることは好ましいことではない。
【０００４】
そこで、本考案は、ＤＣプラグなどのコネクタを外れにくくすることを課題とする。
【課題を解決するための手段】
【０００５】
本考案は、所定方向に延伸する延伸部と、該延伸部と交差する方向に延伸する交差部と、前記延伸部と前記交差部とを接合する接合部とを有するプラグを受ける電子機器であって、前記プラグが前記延伸部を中心軸として回転できるように、前記延伸部が挿入されるソケットと、前記プラグが前記ソケットから離れる方向に移動することを防止し、さらに前記延伸部が前記ソケットに挿入された状態で、前記プラグが前記延伸部を中心軸として所定角度回転したときに、前記交差部を受ける受容部とを備えるように構成される。
【０００６】
上記のように構成された考案によれば、所定方向に延伸する延伸部と、該延伸部と交差する方向に延伸する交差部と、前記延伸部と前記交差部とを接合する接合部とを有するプラグを受ける電子機器が提供される。
【０００７】
ソケットは、前記プラグが前記延伸部を中心軸として回転できるように、前記延伸部が挿入される。受容部は、前記プラグが前記ソケットから離れる方向に移動することを防止し、さらに前記延伸部が前記ソケットに挿入された状態で、前記プラグが前記延伸部を中心軸として所定角度回転したときに、前記交差部を受ける。
【０００８】
また、本考案にかかる電子機器は、前記ソケットが開口する開口面に直交する第一直交面を備え、前記受容部は、前記開口面および前記第一直交面に直交しているようにしてもよい。
【０００９】
また、本考案にかかる電子機器は、前記開口面と平行な平行面と、該平行面に設けられ、前記第一直交面に向かって開放され、前記延伸部が前記ソケットに向かって通過できる凹部とを備えるようにしてもよい。
【００１０】
また、本考案にかかる電子機器は、前記開口面および前記第一直交面に直交する第二直交面を備え、前記受容部は前期第二直交面に設けられ、前記第一直交面に向かって開放されているようにしてもよい。
【００１１】
また、本考案にかかる電子機器は、前記第一直交面は底面または上面であるようにしてもよい。
【００１２】
また、本考案にかかる電子機器は、前記受容部は、前記延伸部が前記ソケットに挿入され、かつ、前記プラグが前記延伸部を中心軸として前記所定角度回転する前の状態で、前記中心軸から前記接合部よりも離れた位置に配置されるようにしてもよい。
【００１３】
本考案にかかるプラグ付き電子機器は、本考案にかかる電子機器と、前記電子機器により受けられた前記プラグとを備える。
【考案を実施するための最良の形態】
【００１４】
以下、本考案の実施形態を図面を参照しながら説明する。
【００１５】
図１は、本考案の実施形態にかかる電子機器１およびＤＣプラグ２の斜視図である。電子機器１は、平行面１２、第一直交面１６、第二直交面１４、ＤＣソケット１８、凹部１２０、受容部１４０、移動防止部１４０ａ、曲線部１４０ｂ、直線部１４０ｃを備える。
【００１６】
なお、ＤＣプラグ２には電源コード４が接続されている。電源コード４は図示省略した外部電源に接続されている。ＤＣプラグ２を電子機器１に取り付けることにより、外部電源からＤＣプラグ２を介して電子機器１に電源を供給できる。ＤＣプラグ２が取り付けられた電子機器１をプラグ付き電子機器ととらえることができる。
【００１７】
ＤＣプラグ２は、延伸部２２、交差部２４、接合部２６を有する。延伸部２２は、所定方向に延伸する。この所定方向をＤＣソケット１８の方向にあわせて、延伸部２２をＤＣソケット１８に挿入できる。これにより、ＤＣプラグ２を電子機器１に取り付けることができる。交差部２４は、延伸部２２と交差する方向に延伸する。図１の例では、延伸部２２の延伸方向と直交する方向に、交差部２４が延伸する。交差部２４は、電源コード４の端部を保持する。接合部２６は、延伸部２２と交差部２４とを接合する。
【００１８】
電子機器１は、上記のように、ＤＣプラグ２を受ける。電子機器１は、ＤＣプラグ２を介して電源の供給を受けて動作する。
【００１９】
平行面１２は、ＤＣソケット１８が開口する開口面１９と平行な面である。
【００２０】
第一直交面１６は、開口面１９に直交する面である。図１に示す例においては、第一直交面１６は、底面である。しかし、第一直交面１６を上面にする、すなわち、第一直交面１６を上に向けるようにしてもよい。
【００２１】
第二直交面１４は、開口面１９および第一直交面１６に直交する面である。
【００２２】
ＤＣソケット１８には、ＤＣプラグ２が延伸部２２を中心軸として回転できるように、延伸部２２が挿入される。
【００２３】
凹部１２０は、平行面１２に設けられており、その形状はほぼ下向きのＵ字形状である。よって、凹部１２０は、第一直交面（底面）１６に向かって開放されているといえる。また、延伸部２２が凹部１２０をＤＣソケット１８に向かって通過できる。
【００２４】
受容部１４０は、第二直交面１４に設けられおり、その形状はほぼ下向きのＵ字形状である。よって、受容部１４０は、第一直交面（底面）１６に向かって開放されているといえる。また、受容部１４０は、開口面１９および第一直交面（底面）１６に直交する。
【００２５】
受容部１４０は、移動防止部１４０ａ、曲線部１４０ｂ、直線部１４０ｃを備える。移動防止部１４０ａおよび直線部１４０ｃは、受容部１４０のＵ字形状において直線状の部分であり、移動防止部１４０ａの方が直線部１４０ｃよりも開口面１９から遠い。曲線部１４０ｂは、移動防止部１４０ａと直線部１４０ｃとを接続する曲線形状の部分である。
【００２６】
次に、本考案の実施形態の動作を説明する。
【００２７】
まず、図１に示すように、電子機器１およびＤＣプラグ２を配置する。すなわち、延伸部２２の延伸する所定方向を、ＤＣソケット１８の方向にあわせる。そして、ＤＣプラグ２の延伸部２２を図１に示す矢印の方に動かす。すると、延伸部２２が凹部１２０を通過する。凹部１２０は延伸部２２を進行させる方向のガイドとなる。やがて、延伸部２２はＤＣソケット１８に挿入される。
【００２８】
図２は、ＤＣプラグ２の延伸部２２を図１に示す矢印の方に動かしてＤＣソケット１８に挿入した状態を示す斜視図である。図４は、ＤＣプラグ２の延伸部２２を図１に示す矢印の方に動かしてＤＣソケット１８に挿入した状態の模式的な部分正面図（図４（ａ））、部分側面図（図４（ｂ））である。
【００２９】
延伸部２２がＤＣソケット１８に挿入された状態で、ＤＣプラグ２は延伸部２２を中心軸として回転できるようになっている。例えば、図４（ａ）に示すように、反時計周りに回転できるようになっている。だが、図２および図４に示す状態では、未だ回転していない。
【００３０】
延伸部２２がＤＣソケット１８に挿入された状態で、しかも、ＤＣプラグ２が反時計周りに回転する前の状態（図２および図４に示す状態）では、受容部１４０は中心軸たる延伸部２２から接合部２６よりも離れた位置に配置される。すなわち、中心軸たる延伸部２２と受容部１４０との距離ｄ１が、中心軸たる延伸部２２と接合部２６との距離ｄ２よりも大きい。これにより、ＤＣプラグ２の延伸部２２をＤＣソケット１８に挿入する際に、受容部１４０の存在が妨げにならない。
【００３１】
図２および図４に示す状態において、ＤＣプラグ２を反時計回り（図４（ａ）参照）に所定角度、例えば９０度回転させる。図４（ｂ）から明らかなように、ＤＣプラグ２を反時計回りに回転させれば、交差部２４は受容部１４０に進入していく。そして、ＤＣプラグ２を反時計回りに９０度回転させることができる。
【００３２】
図３は、図２に示す状態からＤＣプラグ２を反時計回り（図４（ａ）参照）に延伸部２２を中心軸として９０度回転したときの状態を示す斜視図である。図５は、図２に示す状態からＤＣプラグ２を反時計回り（図４（ａ）参照）に延伸部２２を中心軸として９０度回転したときの状態の模式的な部分正面図（図５（ａ））、部分側面図（図５（ｂ））である。ただし、図３においては、設置面６を図示省略している。
【００３３】
図３および図５（ｂ）を参照して、受容部１４０が交差部２４を受ける。しかも、図５（ｂ）を参照して、ＤＣプラグ２に矢印方向に移動する力が加わっても、交差部２４が移動防止部１４０ａにぶつかってしまい、ＤＣプラグ２が矢印方向（ＤＣプラグ２がＤＣソケット１８から離れる方向）に移動しない。すなわち、ＤＣプラグ２に矢印方向に移動する力が加わっても、ＤＣプラグ２が電子機器１から抜けない。
【００３４】
なお、図５（ａ）を参照して、ＤＣプラグ２が時計回りに回転してしまえば（点線矢印方向）、交差部２４が受容部１４０から外れてしまい、ＤＣプラグ２が電子機器１から抜けてしまう可能性がある。しかし、第一直交面１６は、底面であり、例えば設置面６に接している。このため、ＤＣプラグ２が時計回りに回転しようとしても、交差部２４が設置面６にぶつかるため、交差部２４が受容部１４０から外れない。よって、ＤＣプラグ２が電子機器１から抜けない。
【００３５】
本考案の実施形態によれば、ＤＣプラグ２などのコネクタを、電子機器１から外れにくくすることができる。すなわち、ＤＣプラグ２を反時計回り（図４（ａ）参照）に延伸部２２を中心軸として９０度回転させると、受容部１４０が交差部２４を受けるため、ＤＣプラグ２に電子機器１から抜ける方向に力が加わっても、交差部２４が移動防止部１４０ａにぶつかってしまい、ＤＣプラグ２が電子機器１から抜けない。
【００３６】
また、このような受容部１４０は、第二直交面１４にＵ字形状の切り欠きを設けることにより実現できるため、簡易に実現できる。
【００３７】
さらに、凹部１２０を、延伸部２２をＤＣソケット１８に向かって進行させる際のガイドとして利用できる。
【００３８】
しかも、第一直交面１６を底面とすれば、ＤＣプラグ２が時計回りに回転すること（図５（ａ）の点線矢印方向）を防止でき、交差部２４が受容部１４０から外れることを防げるので、ＤＣプラグ２が電子機器１から抜けない。なお、第一直交面１６を上面とした場合は、ＤＣプラグ２を回転させて交差部２４を受容部１４０にはめることが容易にできる。
【００３９】
さらに、図２および図４に示す状態では、受容部１４０は中心軸たる延伸部２２から接合部２６よりも離れた位置に配置される（ｄ１＞ｄ２）。これにより、ＤＣプラグ２の延伸部２２をＤＣソケット１８に挿入する際に、受容部１４０の存在が妨げにならない。
【図面の簡単な説明】
【００４０】
【図１】本考案の実施形態にかかる電子機器１およびＤＣプラグ２の斜視図である。
【図２】ＤＣプラグ２の延伸部２２を図１に示す矢印の方に動かしてＤＣソケット１８に挿入した状態を示す斜視図である。
【図３】図２に示す状態からＤＣプラグ２を反時計回り（図４（ａ）参照）に延伸部２２を中心軸として９０度回転したときの状態を示す斜視図である。
【図４】ＤＣプラグ２の延伸部２２を図１に示す矢印の方に動かしてＤＣソケット１８に挿入した状態の模式的な部分正面図（図４（ａ））、部分側面図（図４（ｂ））である。
【図５】図２に示す状態からＤＣプラグ２を反時計回り（図４（ａ）参照）に延伸部２２を中心軸として９０度回転したときの状態の模式的な部分正面図（図５（ａ））、部分側面図（図５（ｂ））である。
【符号の説明】
【００４１】
１  電子機器
１２  平行面
１６  第一直交面
１４  第二直交面
１８  ＤＣソケット
１２０  凹部
１４０  受容部
１４０ａ  移動防止部
１４０ｂ  曲線部
１４０ｃ  直線部
２  ＤＣプラグ
２２  延伸部
２４  交差部
２６  接合部
４  電源コード
６  設置面
【図１】
0003117782.tif 000003
【図２】
0003117782.tif 000004
【図３】
0003117782.tif 000005
【図４】
0003117782.tif 000006
【図５】
0003117782.tif 000007